(57)【要約】      （修正有）【課題】パーマ状のウエーブがかけられるようにすると共に、加熱構造の加熱が電源を必要としないコードレスとし、多数のヘアカーラーで髪の毛をセットして、個々のヘアカーラーにそれぞれカーラーグリップの構造を挟みつけて加熱して、頭髪全体を同時にパーマ状のウエーブがかけられるようにした構造を提供する。【解決手段】上グリップの両側にはヘアのカーラー挟持部１１１が形成され、その内側には円弧状の凹面部１１１１が設けられ、前記円弧状の凹面部にそれと対応する形態の円弧状の液体バッグ１１１２が内装され、下グリップ１２の両側にはヘアカーラー挟持部１２１が形成され、その内側に円弧状の凹面部１２１１が設けられ、円弧状の凹面部にそれと対応する形態の円弧状の液体バッグ１２１２が内装され、カーラーグリップ構造を熱湯に浸して上グリップ１１の液体バッグ１１１２と下グリップ１２の液体バッグ１２１２を加熱して、加熱されたカーラーグリップ構造。【選択図】図２
0003113059.tif 000002
【実用新案登録請求の範囲】
【請求項１】
上グリップと、下グリップと、ねじりコイルばねを有するグリップハンドル部で構成されたカーラーグリップからなり、前記上グリップの両側にヘアカーラー挟持部が配置され、その内側に円弧状の凹面部が設けられ、また、該上グリップのグリップハンドル部の内側には支軸が貫通する軸穴が形成された一対の軸支部が突設され、更に、前記下グリップの両側にヘアカーラー挟持部が配置され、その内側に円弧状の凹面部が設けられ、また、該下グリップのグリップハンドル部の内側には支軸が貫通する軸穴が形成され、かつ前記上グリップの一対の軸支部の間隔より狭い幅を持つ一対の軸支部が突設され、前記ねじりコイルばねが、前記下グリップの一対の軸支部の間に収納配設され、このねじりコイルばねに前記支軸を貫通させ、ねじりコイルばねの両端部の延長端部が、それぞれ、上グリップのグリップハンドル部の内側と下グリップのグリップハンドル部の内側に当接するように構成されており、
前記上グリップの円弧状の凹面部には加熱可能な液体バッグが内装され、且つ、前記下グリップの円弧状の凹面部にも加熱可能な液体バッグが内装され、前記上，下グリップの液体バッグにより、ヘアカーラーに巻きつけてセットされた毛髪を加熱してホットカーラーが行われるようにすると共に、ホットカーラーの熱源が、電気によらないことで電源コードが介在する故の不便を解消でき、また、多数のヘアカーラーを使用して髪の毛をセットした上で個々のヘアカーラーにカーラーグリップを装着できることで、セットした頭髪全体を同時に加熱することができるようにしたことを特徴とする頭髪用ホットカーラーの加熱構造。
【請求項２】
前記上グリップ及び下グリップに内装した液体バッグの充填物は、水であることを特徴とする請求項１に記載の頭髪用ホットカーラーの加熱構造。
【請求項３】
前記上グリップに内装された液体バッグは、前記円弧状の凹面部の所定位置に固定されていることを特徴とする請求項１に記載の頭髪用ホットカーラーの加熱構造。
【請求項４】
前記下グリップに内装された液体バッグは、前記円弧状の凹面部の所定位置に固定されていることを特徴とする請求項１に記載の頭髪用ホットカーラーの加熱構造。
【請求項５】
前記液体バッグの外表面は、前記円弧状の凹面部の形状に対応した円弧状であることを特徴とする請求項１に記載の頭髪用ホットカーラーの加熱構造。
【考案の詳細な説明】
【技術分野】
【０００１】
本考案は、毛髪にパーマ状のウエーブをかける場合の頭髪用ホットカーラーの加熱構造の改良に関し、特に、上，下グリップの各円弧状の凹面部にそれぞれ加熱源となる加熱可能な液体バッグを内装して加熱構造としたホットカーラーグリップを構成し、前記液体バッグを加熱した後、毛髪をセットしたヘアカーラーにホットカーラーグリップを挟持することで、ヘアカーラーに巻き廻しセットした毛髪を加熱して、毛髪にパーマ状のウエーブをかける構成にした頭髪用ホットカーラーの加熱構造に関する。
【背景技術】
【０００２】
台湾実用新案公開第０９０２０８２２７号「ヘアスタイルホットパーマ加熱装置の改良（一）」によれば、その一端には、逆方向で対応する二つの円弧状グリップが設けられ、二つの円弧状グリップの内部には、テフロン（登録商標）の加熱シートが設けられ、当該加熱シートに電熱線が接続される構成のものが開示されている。
【０００３】
上記従来の考案によれば、この装置を使用する場合には、加熱電源を使用することが必要であるため、毛髪にパーマなどのウエーブをかけている使用者が、装置に連結されている電源コードのために自由に移動できず動作が制限され、例えば、頭髪にパーマなどのウエーブをかけている最中に地震などの災害が発生した時、とっさに逃げ切れず、望ましくない状況に落ちる恐れがある。
また、一対のカーラーに髪の毛をセットして、順次、他の部分の髪の毛のセットを繰り返して加熱する構造であるから、パーマ状のウエーブをかけるのに時間が掛かる。
また、電気を使用して加熱すると、例えば、加熱温度制御器が故障したりすると、加熱シートが過熱状態になって、使用者の髪の毛にダメージを与え、最悪の場合、熱により頭皮が火傷したりする。
また、電力を使用する場合、その取扱い不注意により、漏電などで更に危険な状況を招来する恐れがある。
【特許文献１】台湾実用新案公開第０９０２０８２２７号
【考案の開示】
【考案が解決しようとする課題】
【０００４】
本考案者は関係する製品製造の長年の実務経験と優れた設計概念に基づいて、上記のヘアスタイルホットカーラー加熱装置の欠点について、改良工夫を重ね頭髪用ホットカーラーの加熱構造の効果を向上することで、当業界にとって実用的なものを提供するものである。
【０００５】
本考案者は、上記の欠点を解消できる「頭髪用ホットカーラーの加熱構造」を提供するもので、その主な目的は、加熱構造であるカーラーグリップの構造がそれぞれ対応する二つの上，下グリップで構成され、各グリップの円弧状の凹面部に加熱可能な液体バッグを内装し、通常のヘアカーラーに髪の毛を巻き込んで髪の毛をセットした後、前記加熱可能な液体バッグを内装したカーラーグリップを熱湯に浸して二つの液体バッグを加熱して後、該カーラーグリップを前記通常のヘアカーラーを挟むことでヘアカーラーにセットした髪の毛が加熱され、これによりパーマ状のウエーブがかけられるようにすると共に、加熱構造の加熱が電源を必要としないコードレスとし、多数のヘアカーラーで髪の毛をセットして、個々のヘアカーラーにそれぞれカーラーグリップの構造を挟みつけて加熱して、頭髪全体を同時にパーマ状のウエーブがかけられるようにした構造を提供するものである。
【課題を解決するための手段】
【０００６】
本考案の請求項１の考案によれば、上グリップと、下グリップと、ねじりコイルばねを有するグリップハンドル部で構成されたカーラーグリップからなり、前記上グリップの両側にヘアカーラー挟持部が配置され、その内側に円弧状の凹面部が設けられ、また、該上グリップのグリップハンドル部の内側には支軸が貫通する軸穴が形成された一対の軸支部が突設され、更に、前記下グリップの両側にヘアカーラー挟持部が配置され、その内側に円弧状の凹面部が設けられ、また、該下グリップのグリップハンドル部の内側には支軸が貫通する軸穴が形成され、かつ前記上グリップの一対の軸支部の間隔より狭い幅を持つ一対の軸支部が突設され、前記ねじりコイルばねが、前記下グリップの一対の軸支部の間に収納配設され、このねじりコイルばねに前記支軸を貫通させ、ねじりコイルばねの両端部の延長端部が、それぞれ、上グリップのグリップハンドル部の内側と下グリップのグリップハンドル部の内側に当接するように構成されており、前記上グリップの円弧状の凹面部には加熱可能な液体バッグが内装され、且つ、前記下グリップの円弧状の凹面部にも加熱可能な液体バッグが内装され、前記上，下グリップの液体バッグにより、ヘアカーラーに巻きつけてセットされた毛髪を加熱してホットカーラーが行われるようにすると共に、ホットカーラーの熱源が、電気によらないことで電源コードが介在する故の不便を解消でき、また、多数のヘアカーラーを使用して髪の毛をセットした上で個々のヘアカーラーにカーラーグリップを装着できることで、セットした頭髪全体を同時に加熱することができるようにしたことを特徴とする。
【０００７】
請求項２の考案は、請求項１に記載の頭髪用ホットカーラーの加熱構造において、前記上グリップ及び下グリップに内装した液体バッグの充填物は、水であることを特徴とする。
【０００８】
請求項３の考案は、請求項１に記載の頭髪用ホットカーラーの加熱構造において、前記上グリップに内装された液体バッグは、前記円弧状の凹面部の所定位置に固定されていることを特徴とする。
【０００９】
請求項４の考案は、請求項１に記載の頭髪用ホットカーラーの加熱構造において、前記下グリップに内装された液体バッグは、前記円弧状の凹面部の所定位置に固定されていることを特徴とする。
【００１０】
請求項５の考案は、請求項１に記載の頭髪用ホットカーラーの加熱構造において、前記液体バッグの外表面が、前記円弧状の凹面部の形状に対応した円弧状であることを特徴とする。
【考案の効果】
【００１１】
本考案に係る頭髪用ホットカーラーの加熱構造は、上，下グリップの各円弧状の凹面部にそれぞれ加熱源となる加熱可能な液体バッグを内装して加熱構造としたホットカーラーグリップを構成し、前記液体バッグを加熱した後、毛髪をセットしたヘアカーラーにホットカーラーグリップを挟持することで、ヘアカーラーに巻き廻しセットした毛髪を加熱して、毛髪にパーマ状のウエーブをかける構成にしたので、加熱源に電気を必要としないために、安全で経済的であると共に、コードレスであるから、パーマをかけている最中でも行動の自由が拘束されず、また、多数のヘアカーラーで髪の毛をセットして、個々のヘアカーラーにそれぞれカーラーグリップ構造を挟めっけるだけで、一時に同時にセットした髪の毛を加熱して頭髪全体を同時にパーマするようにできるので、非常に時間的な節約が可能で、また熱源が、水を充填したバッグであるため、髪の毛に過剰のダメージが加わらず、美容上にも大変良好な効果がある。
【考案を実施するための最良の形態】
【００１２】
次に、図面を参照しながら具体的な実施例により、本考案にかかわる頭髪用ホットカーラーの加熱構造の改良について、その目的や効果及び特徴を以下に説明する。
【実施例】
【００１３】
図１は、本考案にかかわる頭髪用ホットカーラーの加熱構造におけるカーラーグリップ１の構造を示し、このカーラーグリップ１は、上グリップ１１と、下グリップ１２と、ねじりコイルばね１３を配設した、上，下グリップハンドル部１１２，１２２とから成る。
【００１４】
上グリップ１１には、その両側にそれぞれ折曲げリブを形成したヘアカーラー挟持部１１１，１１１が形成されており、その前後方向内面には円弧状の凹面部１１１１（図２及び図３を参照）が設けられている。この円弧状の凹面部１１１１には円弧状の液体バッグ１１１２が所定位置に固定した状態で内装されている。
【００１５】
また、上グリップ１１の長手方向のほぽ中間位置の後部には、前記上グリップ１１の開閉を行うグリップハンドル部１１２が配設されており、その内側には、相対向して二つの軸支部１１２１，１１２１が凸設され、更に、該軸支部１１２１，１１２１の端部には、支軸ａが貫通する軸穴１１２２が形成されている。
【００１６】
下グリップ１２は、前記上グリップ１１と対称形に形成されており、その両側にはそれぞれヘアカーラー挟持部１２１，１２１が形成されており、その内面側には円弧状の凹面部１２１１が設けられいる。この円弧状の凹面部１２１１にも、円弧状の液体バッグ１２１２（図２及び図３を参照）が所定位置に固定した状態で内装されている。
【００１７】
また、下グリップ１２の後方には、カーラーグリップの開閉を行うグリップハンドル部１２２が配設されており、その内側には、相対向して二つの軸支部１２２１，１２２１が凸設され、更に、該軸支部１２２１，１２２１の端部には、支軸ａが貫通する軸穴１２２２が形成されている。そして、前記軸支部１２２１，１２２１の間隔は、前記上グリップ１１の一対の軸支部１１２１，１１２１が形成する間隔よりも小さい幅となっている。
【００１８】
そして、下グリップ１２の一対の軸支部１２２１，１２２１の間に前記ねじりコイルばね１３が配設され（図２及び図３を参照）、ねじりコイルばね１３に支軸ａを貫通させ、ねじりコイルばね１３の二つの延長端部１３１，１３２は、それぞれ、上グリップ１１のグリップハンドル部１１２の内側と、下グリップ１２のグリップハンドル部１２２の内側とに当接するように位置付けられ、上，下グリップ１１，１２のグリップハンドル部１１２，１２２をねじりコイルばね１３に抗して、近接方向に押圧した状態では、前記支軸aを中心にして前記上，下グリップ１１，１２の前方が開放されるようになっている。
【００１９】
また、前記上グリップ１１及び下グリップ１２に内装した液体バッグ１１１２，１２１２の充填物は、水などの水溶液が用いられる。
また、前記上，下グリップに内装されるそれぞれの液体バッグは、前記円弧状の凹面部の所定位置に着脱自在でも良いが、固定することが好ましい。
さらに、前記各液体バッグの外表面は、それぞれ前記円弧状の凹面部の形状に対応した円弧状であることが好ましい。
【００２０】
以下に、図４及び図５を参照して、本考案に係わる頭髪用ホットカーラーの加熱構造の使用方法を説明する。
【００２１】
まず、頭髪にパーマ状のウエーブを施す使用者の毛髪ｃを通常の円筒状のヘアカーラーｂでセットしておく。
次に、本考案の液体バッグ１１１２，１２１２を装着している加熱構造となる上，下グリップ１１，１２からなるカーラーグリップ１を熱湯の中に漬け込み、上，下グリップ１１，１２の内面側に内装した両液体バッグ１１１２，１２１２を加熱する。
そして、この熱湯に浸したカーラーグリップ１を一個ずつ、セットした前記ヘアカーラーbに包み込むように装着して、上グリップ１１のヘアカーラー挟持部１１１，１１１と下グリップ１２のヘアカーラー挟持部１２１，１２１でヘアカーラーｂを挟みつけて、安定的に担持する。
【００２２】
各カーラーグリップ１に内装された液体バッグ１１１２，１２１２を加熱源とするので、使用者ｄの髪の毛をヘアカーラーｂでセットして各々カーラーグリップ１を挟むだけで、パーマ状のウエーブをかけることができる。
【００２３】
このように構成された本考案は、次のような実用的効果がある。
（１）本考案に係わる頭髪用ホットカーラーの加熱構造を内蔵したカーラーグリップ１を熱湯に浸して、上グリップ１１の液体バッグ１１１２と下グリップ１２の液体バッグ１２１２とを加熱し、毛髪cをセットしたヘアカーラーbにカーラーグリップ１を挟みつけることでホットカーラーを行えるので、ホットカーラーの熱源を電気としないため、電気使用による不便や危険を解消できる。また、多数のヘアカーラーｂを用いて髪の毛をセットした後で、セット後のヘアカーラーｂにカーラーグリップ１を挟みつけるだけで、毛髪を同時に加熱できるので、時間的な節約になる。
【００２４】
（２）従来の頭髪用ホットカーラー加熱装置は「電源を使用することが必要」であり、電源コードの制限を受けて、パーマをかけている人が自由に任意に移動できない。また、一対となるカーラーにある髪の毛を巻き込んで順々に加熱するようにしているので、同時に多数のヘアーカーラーを使用して髪の毛を加熱できないという従来技術に対し、本考案に係わる頭髪のホットカーラーの加熱構造を内蔵したカーラーグリップ１を用いれぱ、「パーマには時間が掛かる」という従来の概念を打ち砕き、その欠点を解消でき、新規で、実用的な加熱構造となる。
【００２５】
（３）本考案に係わる頭髪用ホットカーラーの加熱構造は、その考案内容や技術的特徴が今までのない新規性を持つものであり、カーラーグリップ１に配設した加熱構造を用いて、頭髪を巻き込んでセットしたヘアカーラーbを極めて簡単に加熱することができるという効果が得られる。
【００２６】
（４）本考案に係わる頭髪用ホットカーラーの加熱構造である、液体バッグを内装したカーラーグリップ１構造を用いれば、内装された上，下液体バッグ１１１２，１２１２がそれぞれ、上グリップ１１と髪の毛、そして、下グリップ１２と髪の毛、の間に位置するため、緩衝効果が得られるとともに、上グリップ１１と下グリップ１２で毛髪を直接加圧したりした場合に頭髪に変な癖がついたり圧力の跡が残ったりするなどの現象を防止でき、ヘアスタイルを完壁に維持できる。
【００２７】
上述した本考案の頭髪用ホットカーラーの加熱構造の使用例や実施形態は、単なる本考案の実施例であり、本考案はこの実施例によって制限されることなく、本考案の技術的範囲は、実用新案登録請求の範囲に記載されたものを包含するものであり、前記請求の範囲に包含される変更・修正は全て本考案の技術範囲に含まれるものである。
【図面の簡単な説明】
【００２８】
【図１】本考案に係わる頭髪用ホットカーラーの加熱構造を組込んだカーラー全体の斜視図。
【図２】本考案に係わる加熱構造を組込んだカーラー分解斜視図。
【図３】本考案に係わる加熱構造を組込んだカーラーの断面図。
【図４】本考案に係わる加熱構造がカーラーに挟まれている状態を示す断面図。
【図５】本考案に係わる加熱構造を組込んだカーラーで頭髪をはさみ込んでホットパーマをかけている使用状態を示す概略図。
【符号の説明】
【００２９】
１        カーラーグリップ
１１      上グリップ
１１１    カーラー挟持部
１１１１  円弧状の凹面部
１１１２  液体バッグ
１１２    グリップ部
１１２１  軸支部
１１２２  軸穴
１２      下グリップ
１２１    カーラー挟持部
１２１１  円弧状の凹面部
１２１２  液体バッグ
１２２    グリップ部
１２２１  軸支部
１２２２  軸穴
１３      ねじりコイルばね
１３１    延長端部
１３２    延長端部
ａ        支軸
ｂ        カーラー
ｃ        髪の毛
ｄ        使用者
【図１】
0003113059.tif 000003
【図２】
0003113059.tif 000004
【図３】
0003113059.tif 000005
【図４】
0003113059.tif 000006
【図５】
0003113059.tif 000007